【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
内燃機関の燃焼室に燃料を直接噴射する直噴インジェクタと、前記内燃機関の吸気通路に燃料を噴射する吸気通路インジェクタと、それらインジェクタの燃料噴射態様を制御する噴射制御手段とを備えた内燃機関の燃料噴射制御装置において、
前記内燃機関の前記吸気通路に蒸発燃料処理装置を通じてパージされるパージガスの燃料量を検出する検出手段を備え、
前記噴射制御手段は前記検出されるパージガスの燃料量に基づいて前記直噴インジェクタと前記吸気通路インジェクタとの燃料噴射量比率を変更する
ことを特徴とする内燃機関の燃料噴射制御装置。
【請求項２】
請求項１に記載の内燃機関の燃料噴射制御装置において、
前記検出手段は前記パージガスの濃度を前記燃料量の相関量として検出する
内燃機関の燃料噴射制御装置。
【請求項３】
請求項１又は２に記載の内燃機関の燃料噴射制御装置において、
前記噴射制御手段は前記検出されるパージガスの燃料量が所定量より多いことを条件に前記燃料噴射量比率の変更を行う
内燃機関の燃料噴射制御装置。
【請求項４】
請求項１〜３のいずれか一項に記載の内燃機関の燃料噴射制御装置において、
前記検出手段は所定期間における前記燃料量の検出結果に基づいて前記燃料量の学習を行うものであり、前記噴射制御手段は前記学習が完了していないときに前記燃料噴射量比率の変更を行う
内燃機関の燃料噴射制御装置。
【請求項５】
内燃機関の燃焼室に燃料を直接噴射する直噴インジェクタと、前記内燃機関の吸気通路に燃料を噴射する吸気通路インジェクタと、それらインジェクタの燃料噴射態様を制御する噴射制御手段とを備えた内燃機関の燃料噴射制御装置において、
蒸発燃料処理装置による前記吸気通路へのパージの実行条件が成立したか否かを判定する判定手段を備え、
前記噴射制御手段は前記実行条件の成立に基づいて前記直噴インジェクタと前記吸気通路インジェクタとの燃料噴射量比率を変更する
ことを特徴とする内燃機関の燃料噴射制御装置。
【請求項６】
請求項５に記載の内燃機関の燃料噴射制御装置において、
前記噴射制御手段は前記直噴インジェクタの燃料噴射量の割合が小さくなるように前記燃料噴射量比率を変更する
内燃機関の燃料噴射制御装置。
【請求項７】
請求項６に記載の内燃機関の燃料噴射制御装置において、
前記噴射制御手段は前記燃料噴射量比率を変更するに際して前記直噴インジェクタの燃料噴射を停止させる
内燃機関の燃料噴射制御装置。
【請求項８】
請求項１〜６のいずれか一項に記載の内燃機関の燃料噴射制御装置において、
前記噴射制御手段は前記燃料噴射量比率を変更するに際して前記直噴インジェクタの燃料噴射圧が高くなるようにこれを変更する
内燃機関の燃料噴射制御装置。
【手続補正２】
【補正対象書類名】明細書
【補正対象項目名】０００８
【補正方法】変更
【補正の内容】
【０００８】
以下、上記目的を達成するための手段及びその作用効果について記載する。
請求項１に記載の発明は、内燃機関の燃焼室に燃料を直接噴射する直噴インジェクタと、前記内燃機関の吸気通路に燃料を噴射する吸気通路インジェクタと、それらインジェクタの燃料噴射態様を制御する噴射制御手段とを備えた内燃機関の燃料噴射制御装置において、前記内燃機関の前記吸気通路に蒸発燃料処理装置を通じてパージされるパージガスの燃料量を検出する検出手段を備え、前記噴射制御手段は前記検出されるパージガスの燃料量に基づいて前記直噴インジェクタと前記吸気通路インジェクタとの燃料噴射量比率を変更することをその要旨とする。
【手続補正３】
【補正対象書類名】明細書
【補正対象項目名】０００９
【補正方法】変更
【補正の内容】
【０００９】
パージガスの導入は内燃機関の空燃比に影響を与え、ひいては燃焼状態にも影響を及ぼすこととなる。本発明によれば、パージガスの燃料量に基づいて、直噴インジェクタと吸気通路インジェクタとの燃料噴射量比率を変更するようにしたため、こうしたパージガスによる影響を極力排除して、燃焼状態を良好に維持することができるようになる。またこの場合、両インジェクタの燃料噴射量比率の変更を通じて燃焼室における燃料の偏在度合が変更されその結果上述のようなパージガスの導入による燃焼状態への悪影響の抑制が図られることとなる。なお、ここで、上記検出手段については、パージガスの流量を同パージガスの燃料量の相関量として検出するものの他、請求項２に記載されるように、パージガスの濃度に基づいて同パージガスの燃料量を検出するものも含まれる。
【手続補正４】
【補正対象書類名】明細書
【補正対象項目名】００１０
【補正方法】変更
【補正の内容】
【００１０】
請求項２に記載の発明は、請求項１に記載の発明において、前記検出手段は前記パージガスの濃度を前記燃料量の相関量として検出することをその要旨とする。
パージガスの濃度については、蒸発燃料処理装置の燃料吸着部分に吸着されている燃料の量がそのときどきに応じて変化するため、上述したようなパージガスの導入による燃焼状態への悪影響も大きなものになる傾向がある。この点、請求項２に記載されるように、パージガスの濃度を検出し、これに基づいて上記各インジェクタの燃料噴射量比率を変更することにより、上記悪影響を好適に抑制することができるようになる。
【手続補正５】
【補正対象書類名】明細書
【補正対象項目名】００１１
【補正方法】変更
【補正の内容】
【００１１】
請求項３に記載の発明は、請求項１又は２に記載の発明において、前記噴射制御手段は前記検出されるパージガスの燃料量が所定量より多いことを条件に前記燃料噴射量比率の変更を行うことをその要旨とする。
【手続補正６】
【補正対象書類名】明細書
【補正対象項目名】００１２
【補正方法】変更
【補正の内容】
【００１２】
同構成によれば、燃焼状態の悪化を抑えつつ、その悪影響が無視できる程度のときには通常の機関運転状態に即した燃料噴射制御を実行することができるようになる。
請求項４に記載の発明は、請求項１〜３のいずれか一項に記載の発明において、前記検出手段は所定期間における前記燃料量の検出結果に基づいて前記燃料量の学習を行うものであり、前記噴射制御手段は前記学習が完了していないときに前記燃料噴射量比率の変更を行うことをその要旨とする。
【手続補正７】
【補正対象書類名】明細書
【補正対象項目名】００１３
【補正方法】変更
【補正の内容】
【００１３】
例えばパージガスの燃料量の学習が未完了でこの燃料量が充分に把握されていない場合、上述したようなパージガスの導入による燃焼状態への悪影響に関してもこれがどの程度のものかは把握できない。本発明によれば、こうした状況において上記各インジェクタの燃料噴射量比率を変更することにより、上記悪影響をより確実に抑制することができるようになる。
【手続補正８】
【補正対象書類名】明細書
【補正対象項目名】００１４
【補正方法】変更
【補正の内容】
【００１４】
請求項５に記載の発明は、内燃機関の燃焼室に燃料を直接噴射する直噴インジェクタと、前記内燃機関の吸気通路に燃料を噴射する吸気通路インジェクタと、それらインジェクタの燃料噴射態様を制御する噴射制御手段とを備えた内燃機関の燃料噴射制御装置において、蒸発燃料処理装置による前記吸気通路へのパージの実行条件が成立したか否かを判定する判定手段を備え、前記噴射制御手段は前記実行条件の成立に基づいて前記直噴インジェクタと前記吸気通路インジェクタとの燃料噴射量比率を変更することをその要旨とする。
【手続補正９】
【補正対象書類名】明細書
【補正対象項目名】００１５
【補正方法】変更
【補正の内容】
【００１５】
パージガスの導入は内燃機関の空燃比に影響を与え、ひいては燃焼状態にも影響を及ぼすこととなる。本発明によれば、パージの実行条件の成立に基づいて、直噴インジェクタと吸気通路インジェクタとの燃料噴射量比率を変更するようにしたため、こうしたパージガスの導入による悪影響をより確実に排除でき、燃焼状態を良好に維持することができるようになる。またこの場合、両インジェクタの燃料噴射量比率の変更を通じて燃焼室における燃料の偏在度合が変更されその結果上述のようなパージガスの導入による燃焼状態への悪影響の抑制が図られることとなる。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
請求項６に記載の発明は、請求項５に記載の発明において、前記噴射制御手段は前記直噴インジェクタの燃料噴射量の割合が小さくなるように前記燃料噴射量比率を変更することをその要旨とする。
【手続補正１２】
【補正対象書類名】明細書
【補正対象項目名】００１９
【補正方法】変更
【補正の内容】
【００１９】
また、燃料噴射量比率を変更するこうした態様に関しては、この請求項６に記載されたものの他、例えば、検出されるパージガスの燃料量が所定量より多いときに吸気通路インジェクタの燃料噴射量の割合が小さくなるように同燃料噴射量比率を変更する、といった態様を採用することもできる。この場合、吸気通路インジェクタによる燃料噴射量とパージガスの燃料量との総和、即ち吸気通路から燃焼室に導入される総燃料量が過大となるのを極力避けるようにすることを通じて上記パージガスの導入による悪影響の抑制が図られることとなる。
【手続補正１３】
【補正対象書類名】明細書
【補正対象項目名】００２１
【補正方法】変更
【補正の内容】
【００２１】
この点、請求項６に記載の発明によれば、気化の促進され易い吸気通路からの燃料の確保を図りつつ、上述したような燃料濃度が過度に濃くなる部分が燃焼室に形成されるのが抑制されるようになるため、不完全燃焼による排気性状の悪化等が好適に抑制され得る。
【手続補正１４】
【補正対象書類名】明細書
【補正対象項目名】００２２
【補正方法】変更
【補正の内容】
【００２２】
吸気通路インジェクタと直噴インジェクタとの燃料噴射量比率を変更する際には、上記インジェクタの双方において共に燃料噴射を行うようにする態様の他、例えば直噴インジェクタの燃料噴射量を「０」にまで小さくする、即ち請求項７に記載されるように、直噴インジェクタの燃料噴射を停止させる、といった態様を採用することもできる。これによれば、上述したような燃料の偏在を速やかに解消することができるようになる。
【手続補正１５】
【補正対象書類名】明細書
【補正対象項目名】００２３
【補正方法】変更
【補正の内容】
【００２３】
なお、燃料噴射量比率を変更するに際しては、例えば請求項８によるように、直噴インジェクタの燃料噴射圧が高くなるようにこれを変更する、といった態様を採用することもできる。こうした燃料噴射圧の変更がなされることで燃焼室における燃料の気化が促進され、その結果前述の燃料の偏在が生じ難くなる。従って、この燃料の偏在に起因して燃料濃度が過度に濃くなる部分が燃焼室に形成されるのを抑制し、不完全燃焼による排気性状の悪化についてもこれを抑制することができるようになる。
【手続補正１６】
【補正対象書類名】明細書
【補正対象項目名】００６２
【補正方法】変更
【補正の内容】
【００６２】
・上記第１実施形態では、パージガスの濃度に関して学習を行うようにしたが、これを行うことなく検出されるその結果を参照して、上記燃料噴射量比率の変更を行うか否かを決定するようにしてもよい。